(57)【要約】【課題】  より多くの散乱光を観察者に集めることが可能である。【解決手段】  表示装置用反射板１１は、基板１０上に設けられ、断面形状が概略台形である複数の下地部材から構成されるラインアンドスペースパターンと、  複数の下地部材上に設けられた反射膜２４とを含む。複数の下地部材の各々は、第１斜面と第１斜面より急な第２斜面とを有し、かつ積層された下層膜２０及び上層膜２１から構成され、上層膜２１は、下層膜２０より薄い。【選択図】  図１３
2015146003.tif 000002
【特許請求の範囲】
【請求項１】
基板上に設けられ、断面形状が概略台形である複数の下地部材から構成されるラインアンドスペースパターンと、
前記複数の下地部材上に設けられた反射膜と、
を具備し、
前記複数の下地部材の各々は、第１斜面と前記第１斜面より急な第２斜面とを有し、かつ積層された下層膜及び上層膜から構成され、
前記上層膜は、前記下層膜より薄いことを特徴とする表示装置用反射板。
【請求項２】
前記第１斜面の仰角α、前記第２斜面の仰角βとすると、
１０°≦α≦４０°
４０°＜β≦８０°
であることを特徴とする請求項１に記載の表示装置用反射板。
【請求項３】
入射光と前記基板の垂線とのなす角θ、前記第１斜面の仰角α、前記第２斜面の仰角βとすると、
α＝θ／２
β＝９０°−θ
であることを特徴とする請求項１に記載の表示装置用反射板。
【請求項４】
前記スペースは、０より大きく４μｍ以下であり、
前記下地部材の上底は、０より大きく４μｍ以下であることを特徴とする請求項１乃至３のいずれかに記載の表示装置用反射板。
【請求項５】
前記下層膜の厚さは、１μｍ以下であり、
前記ラインアンドスペースパターンのピッチは、１５μｍ以下であることを特徴とする請求項１乃至４のいずれかに記載の表示装置用反射板。
【請求項６】
前記ラインアンドスペースパターンのピッチは、露光装置の解像限界であるピッチと、前記下地部材の厚さの２倍とを合わせた長さ以下であることを特徴とする請求項１乃至４のいずれかに記載の表示装置用反射板。
【請求項７】
前記上層膜は、前記下層膜上に部分的に形成され、
前記下層膜の上底は、０より大きく４μｍ以下であり、
前記上層膜の幅は、０以上３μｍ以下であることを特徴とする請求項１乃至６のいずれかに記載の表示装置用反射板。
【請求項８】
前記上層膜の厚さは、０．２μｍ以下であることを特徴とする請求項１乃至７のいずれかに記載の表示装置用反射板。
【請求項９】
前記ラインアンドスペースパターンは、ストライプ状であることを特徴とする請求項１乃至８のいずれかに記載の表示装置用反射板。
【請求項１０】
前記ラインアンドスペースパターンは、逆Ｖ字型又はＶ字型のラインを有する屈曲状であることを特徴とする請求項１乃至８のいずれかに記載の表示装置用反射板。
【請求項１１】
前記ラインアンドスペースパターンは、上に凸又は下に凸の同心円弧状であることを特徴とする請求項１乃至８のいずれかに記載の表示装置用反射板。
【請求項１２】
１つの画素が複数の領域に分割され、
前記分割領域ごとに同心円弧パターンが配置されることを特徴とする請求項１１に記載の表示装置用反射板。
【請求項１３】
隣接する画素同士で同心円弧パターンの中心点がずれていることを特徴とする請求項１２に記載の表示装置用反射板。
【請求項１４】
基板上に、下層膜と、前記下層膜よりエッチングレートが大きい上層膜とを積層する工程と、
前記上層膜上に、第１ラインアンドスペースパターンを有する複数の第１レジストを形成する工程と、
前記複数の第１レジストをマスクとして前記上層膜をエッチングする工程と、
前記第１ラインアンドスペースパターンから所定距離だけずらし、かつ１つのラインが前記下層膜及び前記上層膜に重なるようにして、前記下層膜及び前記上層膜上に、第２ラインアンドスペースパターンを有する複数の第２レジストを形成する工程と、
前記複数の第２レジストをマスクとして前記上層膜及び前記下層膜をエッチングする工程と、
前記下層膜及び前記上層膜上に、反射膜を形成する工程と、
を具備することを特徴とする表示装置用反射板の製造方法。
【発明の詳細な説明】
【技術分野】
【０００１】
本発明は、表示装置用反射板、及びその製造方法に関する。
【背景技術】
【０００２】
モバイル情報機器に装備される表示装置には、バッテリー寿命を延ばすために低消費電力性能が要求される。中でも電子ブックリーダーのようにモノクロ静止画表示が許容される機器では、電子ペーパー、及び高分子分散型液晶表示装置等の完全反射型表示装置が使われる。表示装置の消費電力の中で、常時点灯バックライトの消費電力が最も大きな割合を占めているからである。
【０００３】
完全反射型表示装置のうち、散乱状態を白表示、透過状態を黒表示とするＰＮＬＣ（ポリマーネットワーク型液晶）、又はＰＤＬＣ（ポリマー分散型液晶）等は、入射光を有効利用するための反射板を設けている。補助光源なしで充分な明るさの白表示を実現するためには、反射板での反射光と散乱状態の液晶との相乗効果が必要なためである。反射板は装置内（液晶セルの内部）、及び装置外（液晶セルの外部）のいずれにも設置できるが、装置外に設置すると二重像が発生してしまうため、装置内設置が一般的である。
【０００４】
液晶セル内反射板（以後、単に反射板と表記）は、反射型又は半透過型液晶表示装置用に開発されている。通常、反射板は、金属膜（アルミニウム（Ａｌ）系、又は銀（Ａｇ）系など、反射率が高い材料が好ましい）で形成される。反射板は、使用者（観察者）から見て、液晶層を越えた奥側の基板のセル内面に設置される。カラーフィルターやスイッチング素子としてのＴＦＴ（Thin Film Transistor）構造との位置関係が種々考えられるが、以下の説明では簡単のため、基板（例えばガラス基板）１０上に反射板１１を形成したと仮定して扱い、図示等もこの部分のみとする。
【０００５】
反射板には、材料による反射性能に加えて以下に示す（１）〜（３）の特性が求められる。  
（１）平坦部分が少ないこと
反射板１１の表面形状が平坦であると、液晶層が透過状態のとき正面から表示装置を見ている使用者（観察者）１２自身が映りこんでしまい（正反射）、表示品位が低下する（図１）。これを避けるためには、図２及び図３のように、反射板１１表面に凹凸をつけて平坦部分を減らして反射光を散乱させる。図２は、異方性が無い凹凸をつけた反射板１１の概略図である。図３は、異方性が有る凹凸をつけた反射板１１の概略図である。反射板１１に平坦部分が少ないほど正反射成分（映りこみ）が少なくなる。
【０００６】
（２）太陽光を含む照明光を有効に利用できる散乱プロファイルを有すること
反射型表示装置を使用するとき、観察者１２は、表示装置のほぼ正面に位置する。図４に示すように、照明光（入射光）は、観察者１２の身体で遮蔽されない方向から表示装置に到達する。このため、入射光方向は主に観察者１２正面から１２時方向を中心とする左右各９０度強の範囲と考えておくのがよく、これらの方向からの入射光を観察者１２の方向に集めるような異方性を持った散乱プロファイルが求められる。
【０００７】
図５及び図６は、観察者１２前方からの入射光の様子を説明する図である。図５のように、反射板１１の散乱プロファイルに異方性が無い場合は、正反射方向を中心とした反射散乱光分布となるため、観察者１２方向には充分に散乱光が届かない。これに対し、図６のように、反射板１１に異方性を持たせた散乱プロファイルであれば、散乱光を観察者方向に導くことが可能である。図５及び図６は観察者１２前方からの入射光のみを示したが、実際には図４に示した通り、入射方向には大きな広がりがあるため、図示した方向いずれからの入射光に対しても観察者方向に有効に散乱するような散乱プロファイルが望ましい。
【０００８】
（３）散乱パターン起因のざらつき及びモアレが少ないこと
上記のように、反射板の平坦部を減少させたり、異方性を持った散乱プロファイルを形成したりするには、反射板の表面形状に何らかの散乱パターン加工を施す必要がある。このパターンの大きさが、表示装置の画素と比べて充分小さくないと表示にざらつき感が生じ、またパターンの周期性によってモアレが発生する。これらはいずれも表示品質を低下させる要因なので、散乱パターンの微細化（ざらつき軽減）、及び周期性の多様化（モアレ軽減）は重要な項目となる。
【０００９】
上記の要求を満たすべく、異方性反射板を形成する数々の手法が提案されている。例えば特許文献１では、反射板の下層に島状の樹脂膜を置いている。樹脂膜を島状に加工した後に基板を立てて加熱し、溶解した樹脂の島が重力方向に垂れる効果で形状異方性を得ている。これを下地として反射膜を形成することで異方性反射板を形成する。また、特許文献２では、樹脂パターンを２段重ねで形成し、その形状をずらすことで異方性のある傾斜パターンを形成している。さらに、特許文献３では、樹脂膜にスリット露光やハーフトーン露光を施すことで異方性傾斜面を形成する手法を提示している。
【００１０】
これらの手法によって異方性反射板を形成することができるが、上に挙げた３つの特性要求が完全に満足された訳ではなく、改善の余地がある。その理由の一つは、異方性傾斜パターンを微細化しにくいことである。例えばスリット露光によって樹脂膜に傾斜面を形成する場合、スリット部の両側にスリット部と同等以上の幅の遮光部（ライン）と露光部（スペース）とを配置する必要がある。夫々を最小幅で形成したとしても、ひとつの傾斜面の幅は最低でも最小寸法の３倍になる（“最小寸法”とは、主に露光装置の解像度で規定される加工寸法の下限値）。仮に最小寸法を３μｍとすると、片側傾斜面だけで９μｍ以上の幅が必要になり、特許文献３のような島状の散乱パターンを形成するとき、パターンピッチが１５μｍを下回ることは困難となる。
【００１１】
反射板のパターンサイズが大きいと、パターンに含まれる平坦部も大きくなるため正反射が増大し、また、個々のパターンが視認されやすくなるためざらつき感が増加する。さらに、パターンサイズが大きいと、ざらつき感に影響しやすくなるため、パターン形状及び配置によるモアレ軽減の設計自由度も低下する。このように、反射板のパターンサイズは表示装置の性能に大きく影響を与えるため、これを小さくすることが必要である。
【先行技術文献】
【特許文献】
【００１２】
【特許文献１】特開平１０−１７７１０６号公報
【特許文献２】特開平１１−１６０５０７号公報
【特許文献３】特開２００５−５３９２７１号公報
【特許文献４】特開２０１０−１９９５５６号公報
【発明の概要】
【発明が解決しようとする課題】
【００１３】
本発明は、より多くの散乱光を観察者に集めることが可能であり、かつモアレを低減できる表示装置用反射板、及びその製造方法を提供する。
【課題を解決するための手段】
【００１４】
本発明の一態様に係る表示装置用反射板は、基板上に設けられ、断面形状が概略台形である複数の下地部材から構成されるラインアンドスペースパターンと、前記複数の下地部材上に設けられた反射膜とを具備し、前記複数の下地部材の各々は、第１斜面と前記第１斜面より急な第２斜面とを有し、かつ積層された下層膜及び上層膜から構成され、前記上層膜は、前記下層膜より薄いことを特徴とする。
【００１５】
本発明の一態様に係る表示装置用反射板の製造方法は、基板上に、下層膜と、前記下層膜よりエッチングレートが大きい上層膜とを積層する工程と、前記上層膜上に、第１ラインアンドスペースパターンを有する複数の第１レジストを形成する工程と、前記複数の第１レジストをマスクとして前記上層膜をエッチングする工程と、前記第１ラインアンドスペースパターンから所定距離だけずらし、かつ１つのラインが前記下層膜及び前記上層膜に重なるようにして、前記下層膜及び前記上層膜上に、第２ラインアンドスペースパターンを有する複数の第２レジストを形成する工程と、前記複数の第２レジストをマスクとして前記上層膜及び前記下層膜をエッチングする工程と、前記下層膜及び前記上層膜上に、反射膜を形成する工程とを具備することを特徴とする。
【発明の効果】
【００１６】
本発明によれば、より多くの散乱光を観察者に集めることが可能であり、かつモアレを低減できる表示装置用反射板、及びその製造方法を提供することができる。
【図面の簡単な説明】
【００１７】
【図１】反射板の一例を説明する模式図。
【図２】反射板の一例を説明する模式図。
【図３】反射板の一例を説明する模式図。
【図４】反射板への入射光の範囲を説明する模式図。
【図５】反射板の散乱光を説明する模式図。
【図６】反射板の散乱光を説明する模式図。
【図７】第１実施形態に係る反射板の製造工程を示す断面図。
【図８】図７に続く反射板の製造工程を示す断面図。
【図９】図８に続く反射板の製造工程を示す断面図。
【図１０】図９に続く反射板の製造工程を示す断面図。
【図１１】図１０に続く反射板の製造工程を示す断面図。
【図１２】図１１の製造工程における実物サンプルの断面ＳＥＭ写真。
【図１３】図１１に続く反射板の製造工程を示す断面図。
【図１４】第１実施形態に係る反射板の横ストライプパターンを説明する模式図。
【図１５】入射光と散乱光との関係を説明する模式図。
【図１６】理想的な下地部材の断面形状を説明する模式図。
【図１７】反射板の断面図。
【図１８】図１７に示した下地部材を抽出した断面図。
【図１９】上層膜を含む反射板の断面図。
【図２０】図１９に示した下地部材を抽出した断面図。
【図２１】第２実施形態に係る反射板の平面パターンを説明する模式図。
【図２２】第３実施形態に係る反射板の平面パターンを説明する模式図。
【図２３】第４実施形態に係る反射板の平面パターンを説明する模式図。
【図２４】第５実施形態に係る反射板の平面パターンを説明する模式図。
【図２５】第６実施形態に係る反射板の平面パターンを説明する模式図。
【発明を実施するための形態】
【００１８】
以下、実施形態について図面を参照して説明する。ただし、図面は模式的または概念的なものであり、各図面の寸法および比率等は必ずしも現実のものと同一とは限らないことに留意すべきである。また、図面の相互間で同じ部分を表す場合においても、互いの寸法の関係や比率が異なって表される場合もある。特に、以下に示す幾つかの実施形態は、本発明の技術思想を具体化するための装置および方法を例示したものであって、構成部品の形状、構造、配置等によって、本発明の技術思想が特定されるものではない。なお、以下の説明において、同一の機能及び構成を有する要素については同一符号を付し、重複説明は必要な場合にのみ行う。
【００１９】
本実施形態の反射板は、反射型表示装置、及び半透過型表示装置に使用することができる。また、本実施形態の反射板は、液晶表示装置、高分子分散型液層表示装置、及び有機ＥＬ（Electroluminescence）表示装置などに使用することができる。
【００２０】
［第１実施形態］
［１．反射板の製造方法］
第１実施形態では、下地部材を構成する積層膜の加工を、２回のエッチング（２回のフォトリソグラフィ工程を含む）に分けて実施する。下地部材の加工パターンは、ラインアンドスペース（ライン＆スペース）パターンである。また、下地部材の平坦部を極力少なくするために、複数本のラインを最小間隔またはそれに近い間隔で並べて配置する。
【００２１】
すなわち、下地部材（下層膜及び上層膜の積層膜）上に、１回目のエッチング用のレジストパターン（ライン＆スペースパターン）を形成する。１回目のエッチングでは、エッチングレートが大きい上層膜を除去する。すると、レジストパターンのスペース部分はエッチングレートの小さい下層膜のみ、フォトレジストが形成された部分は積層膜、という状態になる。
【００２２】
次に、下地部材上に２回目のエッチング用のレジストパターン（ライン＆スペースパターン）を形成する。この２回目のレジストパターンは、１回目のレジストパターンとほぼ同様のパターンで、かつ１回目のレジストパターンから所定距離だけずらした状態で形成し、さらに、フォトレジストの片側が積層膜上に、もう片側が１回目にエッチングされた後の下層膜上に重なるようにする。この状態で２回目のエッチングを行う。２回目のエッチングは下層膜をエッチングする条件で実施する。すると、積層膜側のパターンエッジはなだらかなテーパー角となり、下層膜側のパターンエッジは比較的切立ったテーパー角となる。このような製造方法により、テーパー角に異方性を有する下地パターンが形成されるので、この上に反射膜を形成すれば異方性反射板が形成できる。
【００２３】
以下に、図面を参照しながら、本発明の第１実施形態に係る反射板（異方性反射板）の製造方法について説明する。本実施形態では、加工しうる最小ピッチのライン＆スペースが基本パターンとなるので、図はラインに垂直な方向の断面図として表現する。
【００２４】
まず、図７に示すように、例えばガラス基板からなる基板１０上に、斜面付下地部材を形成するための膜を形成する。本実施形態では、斜面付下地部材用の膜は、上層膜／下層膜の２層構造としている。すなわち、基板１０上に、下層膜２０、上層膜２１を順に積層する。上層膜２１のエッチングレートは、下層膜２０のエッチングレートより大きくなるように設定される。下層膜２０及び上層膜２１のエッチングレートに差をつける方法は、例えば、下層膜２０及び上層膜２１の材料を変える方法と、下層膜２０及び上層膜２１をエッチングする時のエッチング条件を変える方法とがある。
【００２５】
下層膜２０及び上層膜２１は、例えば、絶縁性の材料から構成される。例えば、下層膜２０及び上層膜２１の材料は、上層膜２１のエッチングレートが下層膜２０のエッチングレートより大きくなるように選択される。下層膜２０及び上層膜２１は、例えば、シリコン窒化物（ＳｉＮ、又はＳｉ３Ｎ３）、又はシリコン酸化物（ＳｉＯ２）等の無機材料から構成される。下層膜２０及び上層膜２１がシリコン窒化物から構成される場合は、シリコン窒化物中に窒素を多く含ませるほどサイドからのエッチング速度を速くすることができる。そして、シリコン窒化物中の窒素は、例えば、成膜時に副原料ガスとしてのアンモニアの流量を多くすることにより増加させることができる。また、下層膜２０及び上層膜２１を同じ材料で構成する場合は、化合物の組成比を変えることで、エッチングレートに差をつけることができる。また、下層膜２０及び上層膜２１の材料、成膜方法、及びエッチング方法はそれぞれ、特開２０１０−１９９５５６号公報に開示された第２の絶縁膜２５及び第３の絶縁膜２６と同じ手法を用いることができる。
【００２６】
続いて、フォトリソグラフィ工程を用いて、上層膜２１上に、フォトレジストパターン２２を形成する。フォトレジストパターン２２は、ライン＆スペースパターンを有し、複数のライン状のフォトレジストから構成される。ライン＆スペースパターン２２のピッチは、露光装置の解像限界で形成される。ライン＆スペースパターン２２のライン及びスペースは同じ幅である。ピッチとは、１つのライン幅と１つのスペース幅とを合わせた長さである。
【００２７】
続いて、図８に示すように、フォトレジストパターン２２をマスクとして、上層膜２１をエッチングする。このときのエッチング条件は、上層膜２１はエッチングできるが下層膜２０は極力エッチングされないように設定される。これにより、フォトレジストパターン２２に覆われていない領域において、上層膜２１は完全に除去され、下層膜２０は若干削れただけの状態でエッチングを終了することができる。この後に加工される下層膜２０の形状を所望の形状にするためには、上層膜２１の厚さは極力薄いこと（０．２μｍ以下）が望ましい。上層膜２１のエッチング終了後、図９に示すように、フォトレジストパターン２２を剥離して、１回目のフォトリソグラフィ工程が終了する。
【００２８】
続いて、２回目のフォトリソグラフィ加工を施す。図１０に示すように、下層膜２０及び上層膜２１上に、フォトレジストパターン２３を形成する。フォトレジストパターン２３は、ライン＆スペースパターンを有し、複数のライン状のフォトレジストから構成される。ライン＆スペースパターン２３のピッチは、露光装置の解像限界で形成される。すなわち、ライン＆スペースパターン２３のピッチは、ライン＆スペースパターン２２のピッチと同じである。
【００２９】
このとき、フォトレジストパターン２３のライン部分の片側は、上層膜２１が残った部分に、もう片側は上層膜２１が除去された（下層膜２０だけの）部分に配置されるようにする。このフォトレジストパターン２３の加工は、フォトレジストパターン２３をフォトレジストパターン２２と原則的に同一ピッチのライン＆スペースで構成されたパターンとし、フォトレジストパターン２２が形成された位置から所定の距離だけずらした位置に形成することで実現できる。
【００３０】
続いて、図１１に示すように、フォトレジストパターン２３をマスクとして、積層膜（上層膜２１／下層膜２０）を連続エッチングする。このときのエッチング条件は、下層膜２０をエッチングするための条件とする。この条件でのエッチレートは、“下層膜２０＜上層膜２１”となるので、積層膜をエッチングした側は上層膜２１によるサイドエッチ進行が大きいためなだらかなテーパー形状となり、下層膜２０のみをエッチングした側はサイドエッチ進行が少ないため急峻なテーパー形状となる。このようにして、フォトレジストパターン２３のライン部分の左右でテーパー角が異なるエッチング形状を得ることができる。図１２は、図１１の製造工程における実物サンプルの断面ＳＥＭ写真である。図１２のサンプルにおいて、断面の左右でテーパー形状が異なる下層膜２０を実現できている。続いて、フォトレジストパターン２３を剥離して、２回目のフォトリソグラフィ工程が終了する。
【００３１】
続いて、図１３に示すように、基板１０及び下地部材（下層膜２１及び上層膜２１）上に、反射膜２４を成膜する。反射膜２４は、反射率が高い金属材料が用いられ、例えばアルミニウム（Ａｌ）、銀（Ａｇ）、及びこれらのいずれかを含む（Ａｌ系又はＡｇ系の）合金などが用いられる。反射膜２４の厚さは、０．０３μｍ以上であることが望ましい。このようにして、異方性傾斜反射板１１が完成する。以上が異方性反射板１１の縦構造形成プロセスの一例である。
【００３２】
［２．下地部材の平面パターン］
上記のようにして形成された反射板１１における断面構造と平面パターンとの組み合わせで、反射板１１の散乱プロファイル（反射散乱プロファイル）が定まる。白黒表示の場合は縦横比１：１の正方画素であるが、カラー表示（ＲＧＢ）対応を考えて、ここでは縦横比３：１の縦長画素を例に平面パターンの構成を示す。正方画素の場合は、縦長画素の平面パターンを拡張する、又は繰り返し並べる、等で対応可能である。
【００３３】
平面パターンの基本は横ストライプパターンである。図１４は、第１実施形態に係る反射板１１の横ストライプパターンを説明する模式図である。図１４は、１画素分のパターンを示している。画素は、縦横比３：１の画素である。ストライプパターンの設計は、通常、ライン＆スペースで表現する。実際の画素設計においては、画素の境界部分には配線や薄膜トランジスタの配置領域等が存在するため、異方性傾斜反射板１１の平面パターンもこれに対応する必要があるが、発明の本質ではないのでここでは言及しない。
【００３４】
図１４において、横方向がＸ方向、縦方向がＹ方向に対応する。Ｘピッチ：Ｙピッチ＝３：１である。複数のラインは、Ｘ方向に延在する。図１４のライン＆スペースパターンは、図１３の下地部材（下層膜２０及び上層膜２１）の平面パターンに対応する。また、図７のフォトレジスト２２の平面パターン、及び図１０のフォトレジスト２３の平面パターンも、図１４のライン＆スペースパターンと同じである。
【００３５】
本実施形態では、ライン幅、及びスペース（間隔）ともに、プロセス能力で定まる下限の寸法にするのが基本となる。ライン＆スペースの下限は、露光装置の解像限界（例えばライン幅＋スペース＝ピッチで４〜６μｍ程度）であるが、これにテーパー加工の傾斜領域、及び加工寸法ばらつきなど（これらは上層膜２１と下層膜２０との厚さによって変動する）を考慮して、積層膜厚の２倍を加えた程度までは広げる可能性がある。すなわち、下地部材（下層膜２０及び上層膜２１）によって形成されるラインアンドスペースパターンのピッチは、露光装置の解像限界であるピッチと、下地部材の厚さの２倍とを合わせた長さ以下である。図１３から分かるように、傾斜反射面がラインの側面（の片側）なので、その面積は、一定面積の中に配置されるライン本数に比例する。ライン＆スペースを最小ピッチにすることがライン本数を最大にすることになり、傾斜反射面の面積を最大にする結果になる。
【００３６】
図１４の上方が図１３の左方となる（緩斜面がラインの上方になる）ように加工すれば、観察者１２からみて図６のような散乱プロファイルを得ることができる。もちろん、散乱プロファイルの要求によっては、図１４の上方が図１３の右方となる（緩斜面がラインの下方になる）ようにすることも可能である。
【００３７】
［３．下地部材の条件］
次に、下地部材の条件について説明する。図１５は、入射光と散乱光との関係を説明する模式図である。観察者１２前方からの入射光が反射板１１によって散乱（反射）した際、散乱光のピーク（散乱ピーク）が観察者１２に観察されるのが理想であり、このときに観察者１２に観察される散乱光が最も明るくなる。入射光と散乱ピークとのなす角度をθとする。
【００３８】
図１６は、理想的な下層膜（下地部材）２０の断面形状を説明する模式図である。下地部材２０は、その断面形状が三角形であり、仰角α、β（α＜β）を有する。下地部材２０の仰角α側が緩斜面、下地部材２０の仰角β側が急斜面である。緩斜面の水平方向の長さＢ、急斜面の水平方向の長さＤである。このとき、入射光と散乱光とのなす角度は２αとなる。散乱ピークを観察者１２に向ける場合、“α＝θ／２”、“β＝９０°−θ”となる。例えば、θ＝４０°とすると、α＝２０°、β＝５０°となる。図１６に示すように、１つの下地部材２０が前述した仰角α、βの条件を満たし、かつ複数の下地部材２０がスペースを空けずに連続して配置されるものとすると、垂線から角度θを持って反射板１１に入射する入射光を、より損失が少ない状態で散乱光として観察者１２に届けることができる。
【００３９】
しかしながら、プロセス上の制約により、隣接する下地部材２０間のスペースをなくすこと、及び下地部材２０の断面形状を三角形に加工することは難しい。結果として、図１３に示すように、断面形状が概略台形の複数の下地部材（下層膜２０及び上層膜２１）が所定のスペースを空けて配置される。
【００４０】
図１７は、反射板１１の断面図である。図１８は、図１７に示した下地部材２０を抽出した断面図である。下地部材２０は、その断面形状が概略台形であり、仰角α、β（α＜β）を有する。下地部材２０の仰角α側が緩斜面、下地部材２０の仰角β側が急斜面である。緩斜面の水平方向の長さＢ、急斜面の水平方向の長さＤである。隣接する下地部材２０は、スペースＡを空けて配置される。下地部材２０の上底Ｃ、下地部材２０の厚さＥである。
【００４１】
図１６の理想的な条件を図１７に適用することを考える。図１５及び図１６と同様に、緩斜面Ｂにおいて、入射光と散乱光とのなす角度をθとする。ここで着目する入射光は、図６に示すように、観察者１２によって遮られない方向からの入射光であり、また、散乱ピークに最も寄与する方向からの入射光である。この角度θは、反射板１１が使用される表示装置の使用条件、及び要求される仕様などにより適宜設定される。この場合、下地部材２０は、“α＝θ／２”、“β＝９０°−θ”に設定される。これにより、ライン＆スペースで形成された下地部材を有する反射板１１において、観察者に向かう散乱ピークを最も大きくできる。
【００４２】
次に、プロセスの制約を考慮した条件について説明する。
【００４３】
＜スペースＡの条件＞
正反射成分を減らすためには、スペースＡはより小さいことが望ましいが、プロセスの制約上、Ａ＝０にはできない。スペースＡは、０＜Ａ≦４μｍであることが望ましい。
【００４４】
＜緩斜面の条件＞
直線近似で、１０°≦α≦４０°であることが望ましい。緩斜面の水平方向の長さＢは、“Ｂ≒（cos（α）／sin（α））・Ｅ”で表される。“≒”は、近似を意味する。
【００４５】
＜下地部材２０の上底Ｃの条件＞
正反射成分を減らすためには、上底Ｃはより小さいことが望ましい。上層膜２１有り、及び上層膜２１無しの部分を合わせた上底Ｃは、０＜Ｃ≦４μｍであることが望ましい。
【００４６】
＜急斜面の条件＞
直線近似で、４０°＜β≦８０°であることが望ましい。急斜面の水平方向の長さＤは、“Ｄ≒（cos（β）／sin（β））・Ｅ”で表される。
【００４７】
＜下地部材２０の水平方向の長さ＞
Ｅ≦１μｍとすると、下地部材２０の水平方向の長さ（Ａ＋Ｂ＋Ｃ＋Ｄ）は、１５μｍ以下であることが望ましい。
【００４８】
なお、上記の仰角α、βは、図１８に示すように、夫々緩斜面、急斜面を３等分し、その中央部分を直線近似して求めた、基板からの角度とする。
【００４９】
図１９は、上層膜２１を含む反射板１１の断面図である。図２０は、図１９に示した下地部材（下層膜２０及び上層膜２１）を抽出した断面図である。
【００５０】
断面形状が概略台形からなる下地部材の上底Ｃは、上層膜２１／下層膜２０の積層膜になっている部分Ｆと、下層膜２０のみ（上層膜除去済み）の部分Ｇとから構成され、すなわち、“Ｃ＝Ｆ＋Ｇ”である。正反射成分を減らすためには、上底Ｃ（＝Ｆ＋Ｇ）は、“０＜Ｃ≦４μｍ”であることが望ましい。また、部分Ｆは、“０≦Ｆ≦３μｍ”であることが望ましい。
【００５１】
部分Ｆと部分Ｇとの段差Ｈは、０＜Ｆの時のみ存在し、段差Ｈ＝「上層膜２１の厚さ」＋「上層膜２１エッチング時の下層膜２０減少分」である。段差Ｈが存在するとき、反射板１１の断面形状はこれを反映して図１９のようになる。一方、上層膜２１が全てエッチングされる場合は、Ｆ＝０となり、反射板１１の断面形状は図１７のようになる。
【００５２】
また、所望の角度の緩斜面（入射光を反射する面）を実現するためには、上層膜２１は、より薄い方が望ましく、上層膜２１の厚さは、０．２μｍ以下であることが望ましい。
【００５３】
［４．効果］
以上詳述したように本実施形態では、１回目のフォトリソグラフィ工程及び１回目のエッチング工程と、２回目のフォトリソグラフィ工程とにより異方性エッチングの準備を整え、２回目のエッチング工程により両側で異なるテーパーを有する下地部材からなるライン＆スペースパターンを形成する。２回目のレジストパターン形成は、１回目のフォトリソグラフィ工程に対して露光装置の合わせ精度で合わせこむことができる。通常、合わせ精度は、その露光装置によるピッチ（ライン＆スペース）の解像限界の１／２以下であるため、ライン＆スペース加工限界（これが微細化のボトルネックとなる）の微細パターンの中に異方性反射パターンを作りこむことが可能となる。具体的には、ライン＆スペースパターンのピッチは、４μｍ〜６μｍ程度まで微細化できる。
【００５４】
また、このライン＆スペースは、直線や曲線等自由に設計できるため、希望の散乱プロファイルを作り込むことが可能である。これにより、より多くの散乱光を観察者に集めることが可能となる。結果として、本実施形態の反射板１１を反射型表示装置又は半透過型表示装置に用いることで、反射光を利用したより明るい表示が可能な表示装置を実現できる。
【００５５】
また、ライン＆スペースパターンが微細であることは、単位面積内により多くのライン＆スペースを配置できることを意味する。傾斜反射面はライン＆スペースのパターンエッジ（の片側）であるので、単位面積内のライン本数が多いことは傾斜反射面積の比率が大きい（平坦部の占有比率が抑制される）ということであるため、映りこみが軽減できるという効果がある。
【００５６】
［第２実施形態］
第１実施形態では、ライン＆スペースパターンとして、単純な横ストライプパターンを示したが、このパターンでは、図４に示すような広範囲からの入射光に対して傾斜反射の効果を充分に発揮することが困難である可能性がある。そこで、第２実施形態では、ライン＆スペースパターンとして、屈曲パターンを用いる。
【００５７】
図２１は、本発明の第２実施形態に係る反射板１１の平面パターンを説明する模式図である。図２１は、１画素分のパターンを示している。画素は、縦横比３：１の画素である。なお、図２１のライン＆スペースパターンは、図１３の下地部材（下層膜２０及び上層膜２１）の平面パターンに対応する。また、図７のフォトレジスト２２の平面パターン、及び図１０のフォトレジスト２３の平面パターンも、図２１のライン＆スペースパターンと同じである。以下の実施形態の平面パターンについても図２１と同様の関係を有する。
【００５８】
図２１のように、ライン＆スペースを一定に保ったままでラインを屈曲させることができる。すなわち、２本の直線状ラインが所定の開き角で交わるようにして、屈曲パターンが形成される。図４に示すような、第一象限及び第二象限からの入射光を散乱させようとする場合は、パターンは上に凸であることが望ましく、屈曲パターンの場合はいわゆる逆Ｖ字のような形状になる。図１４の横ストライプ（ラインの開き角１８０度に対応する）の場合、１２時方向からの入射に良好な対応ができるといえる。これに対して、図２１（ａ）（ラインの開き角１２０度）の場合は２時方向と１０時方向からの入射に、図２１（ｂ）（ラインの開き角９０度）の場合は１時半と１０時半からの入射に良好に対応するといえる。開き角の設定に応じてどの方向からの入射に重点的に対応するかを調整できる利点がある。
【００５９】
また、要求される散乱プロファイルによっては、下に凸のＶ字型のラインを有する屈曲パターンを選択してもよい。
【００６０】
［第３実施形態］
図２２は、本発明の第３実施形態に係る反射板１１の平面パターンを説明する模式図である。第３実施形態では、直線的なパターンを廃して同心円弧パターンを用いる。同じ形状の円弧を複数並べるのではなく、複数の同心円弧を並べれば、ライン＆スペースを一定に保ったままで画素内全面にライン＆スペースパターンを配置できる。
【００６１】
図２２は、同心円弧パターンの一例で、中心点を画素の領域外下部においた場合である。中心点を画素の下部（画素領域下端から画素領域外の下部までの範囲が望ましい）に置けば、円弧が上に凸の形状になる。同心円弧パターンの場合、広い範囲からの入射光に対して同じような反射散乱特性を示す。
【００６２】
中心点の位置によって円弧の曲率を変えることができる。中心点が画素領域下端にあるとき、最も内側の円弧は最小半径での半円状になるが、中心点が画素領域外で画素領域下端から離れるほど、円弧の曲率は大きくなって直線に近づく（横ストライプパターンの特性に近づく）。
【００６３】
また、要求される散乱プロファイルによっては、下に凸の円弧を有する同心円弧パターンを選択してもよい。
【００６４】
［第４実施形態］
縦横比３：１の画素の場合、同心円弧パターンの中心点を画素領域下端に置いても画素上部での円弧の曲率は大きくなり、横ストライプの特性に近づいてしまう。円弧の対象性を生かすためには曲率を小さくするほうが望ましいが、画素領域を分割し、分割した各々の領域を独立パターンとして扱うことでこれを実現することができる。
【００６５】
図２３は、本発明の第４実施形態に係る反射板１１の平面パターンを説明する模式図である。第４実施形態では、１つ画素を２分割した場合の構成例である。２つの分割された領域にはそれぞれ、同心円弧パターンが配置される。このようにして曲率の小さい円弧をライン＆スペースパターンとして利用することができる。図２２は１つの画素を２分割した例であるが、１つの画素を３分割以上とすることもできる。この場合も、分割された領域ごとに同心円弧パターンが配置される。
【００６６】
［第５実施形態］
フォトリソグラフィで形成するライン＆スペースパターンでは、パターンの周期性のためにモアレが発生してしまうことが多い。モアレを軽減するためには、パターンに多様性を持たせ、干渉が起きにくい状況にする必要がある。同心円弧パターンの場合、パターン形状は中心点の位置を変えるだけで多様に変化するので、これを利用してパターンに多様性を持たせ、モアレを軽減することができる。
【００６７】
図２４は、本発明の第５実施形態に係る反射板１１の平面パターンを説明する模式図である。図２４は、２つの画素のパターンを示している。Ｘ方向（図の左右）に隣接する２つの画素のうち左画素のパターンは図２３と同じであるが、右画素のパターンは、左画素のパターンからＹ方向に所定距離だけパターン（中心点）をずらし、これに合わせて画素の分割位置もずらす。図２４の例では、右画素のパターンは、左画素のパターンからＹ方向に１／４画素分だけパターン（中心点）をずらしている。
【００６８】
このようにすることで、単純に図２３のパターンを繰り返す場合よりもモアレが軽減される。中心点のずらし方としてはＹ方向（上下）だけでなくＸ方向（左右）にずらすことも可能で（図は省略）、これらの組み合わせで更にモアレを軽減することができる。
【００６９】
［第６実施形態］
図２５は、本発明の第６実施形態に係る反射板１１の平面パターンを説明する模式図である。
【００７０】
図２５に示したように、縦横比３：１の縦長画素用のパターンを横方向（Ｘ方向）に拡張することで、白黒表示で用いられる縦横比１：１の正方画素に対応させることができる。図２５は、図２３（第４実施形態）のパターンを拡張した場合の一例である。すなわち、図２５では、図２３のパターンを＋Ｘ方向、−Ｘ方向に夫々拡張することで、縦横比１：１の正方画素用のライン＆スペースパターンを構成している。
【００７１】
このようにすることで、縦横比１：１の正方画素においても、所望の散乱プロファイルを得ることができる。また、周期性の低いパターンを選択することでモアレ軽減にも効果を発揮できる。
【００７２】
本発明は、上記実施形態に限定されるものではなく、その要旨を逸脱しない範囲内で、構成要素を変形して具体化することが可能である。さらに、上記実施形態には種々の段階の発明が含まれており、１つの実施形態に開示される複数の構成要素の適宜な組み合わせ、若しくは異なる実施形態に開示される構成要素の適宜な組み合わせにより種々の発明を構成することができる。例えば、実施形態に開示される全構成要素から幾つかの構成要素が削除されても、発明が解決しようとする課題が解決でき、発明の効果が得られる場合には、これらの構成要素が削除された実施形態が発明として抽出されうる。
【符号の説明】
【００７３】
１０…基板、１１…反射板、１２…観察者、２０…下層膜、２１…上層膜、２２，２３…フォトレジストパターン、２４…反射膜。
【図１】
2015146003.tif 000003
【図２】
2015146003.tif 000004
【図３】
2015146003.tif 000005
【図４】
2015146003.tif 000006
【図５】
2015146003.tif 000007
【図６】
2015146003.tif 000008
【図７】
2015146003.tif 000009
【図８】
2015146003.tif 000010
【図９】
2015146003.tif 000011
【図１０】
2015146003.tif 000012
【図１１】
2015146003.tif 000013
【図１３】
2015146003.tif 000014
【図１４】
2015146003.tif 000015
【図１５】
2015146003.tif 000016
【図１６】
2015146003.tif 000017
【図１７】
2015146003.tif 000018
【図１８】
2015146003.tif 000019
【図１９】
2015146003.tif 000020
【図２０】
2015146003.tif 000021
【図２１】
2015146003.tif 000022
【図２２】
2015146003.tif 000023
【図２３】
2015146003.tif 000024
【図２４】
2015146003.tif 000025
【図２５】
2015146003.tif 000026
【図１２】
2015146003.tif 000027